(57)【要約】  【課題】  既存のハードウェア構成をそのまま利用した安価な構成としながらも、リモコン制御コマンドの受信の有無を操作者に確実に認識させることのできる映像信号再生装置を提供する。  【解決手段】  リモコン制御コマンドによる指示に基づき装置全体を制御する制御部２３が、リモコン制御コマンドの入力を検知したとき毎に、テレビジョン受像機１４などの画面表示部２２に表示中の画像の輝度レベルを通常レベルよりも高低に変化させるフラッシュング制御機能、または蛍光表示管３２に表示中の情報表示の輝度レベルを通常レベルよりも高低に変化させるフラッシュング制御機能の少なくとも一方を有している。【選択図】    図１
2005328173.tif 000002
【特許請求の範囲】
【請求項１】
記録媒体から読み出した記録データを再生して、その記録データの映像信号をテレビジョン受像機またはモニタ装置の画面表示部に画像表示する映像信号再生装置において、
リモコン装置から光信号として送信されたリモコン制御コマンドを受信する受光部と、  装置の状態を表示する蛍光表示管と、
前記リモコン制御コマンドによる指示に基づき装置全体を制御する制御部とを備え、
前記制御部は、
前記リモコン制御コマンドの入力を検知したとき毎に、前記画面表示部に表示中の画像の輝度レベルを通常レベルよりも高低に変化させるフラッシング制御機能、または前記蛍光表示管に表示中の情報表示の輝度レベルを通常レベルよりも高低に変化させるフラッシング制御機能の少なくとも一方を有していることを特徴とする映像信号再生装置。
【請求項２】
記録媒体から読み出した記録データを再生して、その記録データの映像信号をテレビジョン受像機またはモニタ装置の画面表示部に画像表示する映像信号再生装置において、
リモコン装置から光信号として送信されたリモコン制御コマンドを受信する受光部と、  前記リモコン制御コマンドによる指示に基づき装置全体を制御する制御部とを備え、
前記制御部は、
前記リモコン制御コマンドの入力を検知したとき毎に、前記画面表示部に表示中の画像の輝度レベルを通常レベルよりも高低に変化させるフラッシング制御機能を有していることを特徴とする映像信号再生装置。
【請求項３】
制御部は、前記リモコン制御コマンドの入力を検知したとき毎に、ビデオ信号輝度アップコマンドおよびビデオ信号輝度ダウンコマンドを順次生成してデコーダ回路に対し出力するようになっている請求項２に記載の映像信号再生装置。
【請求項４】
記録媒体から読み出した記録データを再生して、その記録データの映像信号をテレビジョン受像機またはモニタ装置の画面表示部に画像表示する映像信号再生装置において、
リモコン装置から光信号として送信されたリモコン制御コマンドを受信する受光部と、  装置の状態を表示する蛍光表示管と、
前記リモコン制御コマンドによる指示に基づき装置全体を制御する制御部とを備え、
前記制御部は、
前記リモコン制御コマンドの入力を検知したとき毎に、前記蛍光表示管に表示中の情報表示の輝度レベルを通常レベルよりも高低に変化させるフラッシング制御機能を有している映像信号再生装置。
【請求項５】
制御部は、前記リモコン制御コマンドの入力を検知したとき毎に、表示ドライバ輝度アップコマンドおよび表示ドライバ信号輝度ダウンコマンドを順次生成して、蛍光表示管を表示制御する表示ドライバ回路に対し出力するようになっている請求項４に記載の映像信号再生装置。
【発明の詳細な説明】
【技術分野】
【０００１】
本発明は、リモコン装置による遠隔操作により記録媒体から読み出した記録データを再生して、その記録データの映像信号を画面表示部に画像表示する、例えばＤＶＤプレーヤやＶＣＲなどの映像信号再生装置に関するものである。
【背景技術】
【０００２】
この種の映像信号再生装置では、リモコン装置による遠隔操作により各種の作動指示が与えられて、記録媒体から読み出した映像信号をテレビジョン受像機やモニター装置の画面表示部に画像表示するようになっている。上記リモコン装置は、目に見えない赤外線信号によりリモコン制御コマンドを送信することから、操作の直後に画面表示部の表示画面が変わらなかったような場合に、操作者がリモコン装置からのリモコン制御コマンドが正しく再生装置に受信されたか否かが判らないので、不安を抱くことになる。例えば、当該再生装置の前面に設けられた受光部に対し斜め方向または比較的遠方からリモコン装置を操作したような場合、またはリモコン装置と再生装置との間に赤外線信号を遮る遮蔽物が存在した場合、或いはリモコン装置の駆動電源である電池が消耗している場合には、リモコン装置を操作したにも拘わらずリモコン制御コマンドが再生装置の受光部に受信されず、また、操作者がリモコン装置の全ての操作キーの指示機能を覚えていないことが多いので、何度も操作を繰り返すことになる。特に、電池が消耗しているような場合には、操作者には電池の消耗か再生装置自体の故障かの判別がつかない。
【０００３】
そこで、従来では、リモコン装置から送信されたリモコン制御コマンドが再生装置に正しく受信されたか否かをブザーまたは合成音声により報知する聴覚報知手段またはランプや液晶表示装置により報知する視覚報知手段を設けて、この聴覚報知手段および視覚報知手段の何れか一方または両方で報知する映像信号再生装置が提案されている（例えば、特許文献１参照）。また、従来では、再生動作やディスクの挿入の有無或いは電源投入などの情報を画面表示するためのオン・スクリーン・ディプレイ機能を用いて、リモコン制御コマンドの受信の有無を画面表示する映像信号再生装置も存在する。
【特許文献１】実開平７−１４７８６号公報
【発明の開示】
【発明が解決しようとする課題】
【０００４】
しかしながら、聴覚報知手段および視覚報知手段を設ける映像信号再生装置では、２種の報知手段を設けるのに加えて、この２種の報知手段の切換スイッチをも設ける必要があり、構成が複雑化してコスト高となり、特に、合成音声により音声認識表現するものでは、高価なピエゾスピーカを必要とするので、さらにコスト高となる。一方、オン・スクリーンディプレイ機能を用いてリモコン制御コマンドの受信の有無を画面表示するものでは、装置の付加価値を高めることができるものの、一層のコスト高を招いている。
【０００５】
本発明は、前記従来の課題に鑑みてなされたもので、既存のハードウェア機構をそのまま利用した安価な構成としながらも、リモコン装置からのリモコン制御コマンドの受信の有無を操作者に確実に認識させることのできる映像信号再生装置を提供することを目的とするものである。
【課題を解決するための手段】
【０００６】
上記目的を達成するために、請求項１に係る発明の映像信号再生装置は、記録媒体から読み出した記録データを再生して、その記録データの映像信号をテレビジョン受像機またはモニタ装置の画面表示部に画像表示する映像信号再生装置において、リモコン装置から光信号として送信されたリモコン制御コマンドを受信する受光部と、装置の状態を表示する蛍光表示管と、前記リモコン制御コマンドによる指示に基づき装置全体を制御する制御部とを備え、前記制御部が、前記リモコン制御コマンドの入力を検知したとき毎に、前記画面表示部に表示中の画像の輝度レベルを通常レベルよりも高低に変化させるフラッシング制御機能、または前記蛍光表示管に表示中の情報表示の輝度レベルを通常レベルよりも高低に変化させるフラッシング制御機能の少なくとも一方を有していることを特徴としている。
【０００７】
請求項２に係る発明の映像信号再生装置は、記録媒体から読み出した記録データを再生して、その記録データの映像信号をテレビジョン受像機またはモニタ装置の画面表示部に画像表示する映像信号再生装置において、リモコン装置から光信号として送信されたリモコン制御コマンドを受信する受光部と、前記リモコン制御コマンドによる指示に基づき装置全体を制御する制御部とを備え、前記制御部が、前記リモコン制御コマンドの入力を検知したとき毎に、前記画面表示部に表示中の画像の輝度レベルを通常レベルよりも高低に変化させるフラッシング制御機能を有していることを特徴としている。
【０００８】
請求項３に係る発明の映像信号再生装置は、請求項２の発明において、制御部が、前記リモコン制御コマンドの入力を検知したとき毎に、ビデオ信号輝度アップコマンドおよびビデオ信号輝度ダウンコマンドを順次生成してデコーダ回路に対し出力するようになっている。
【０００９】
請求項４に係る発明の映像信号再生装置は、記録媒体から読み出した記録データを再生して、その記録データの映像信号をテレビジョン受像機またはモニタ装置の画面表示部に画像表示する映像信号再生装置において、リモコン装置から光信号として送信されたリモコン制御コマンドを受信する受光部と、装置の状態を表示する蛍光表示管と、前記リモコン制御コマンドによる指示に基づき装置全体を制御する制御部とを備え、前記制御部が、前記リモコン制御コマンドの入力を検知したとき毎に、前記蛍光表示管に表示中の情報表示の輝度レベルを通常レベルよりも高低に変化させるフラッシング制御機能を有していることを特徴としている。
【００１０】
請求項５に係る発明の映像信号再生装置は、請求項４の発明において、制御部が、前記リモコン制御コマンドの入力を検知したとき毎に、表示ドライバ輝度アップコマンドおよび表示ドライバ輝度ダウンコマンドを順次生成して、蛍光表示管を表示制御する表示ドライバ回路に対し出力するようになっている。
【発明の効果】
【００１１】
請求項１の発明では、リモコン装置からリモコン制御コマンドを受信する毎に、テレビジョン受像機などの画面表示部に表示中の映像の輝度レベルを高くしたのちに低く変化させるので、操作者は、画面表示部の映像の明暗変化を明確に視認することにより、リモコン制御コマンドが受信されたことを確実に認識することができる。あるいは、リモコン装置からリモコン制御コマンドを受信する毎に、蛍光表示管に表示中の情報表示の輝度レベルを高くしたのちに低く変化させるので、操作者は、情報表示の明暗変化を明確に視認することにより、リモコン制御コマンドが受信されたことを確実に認識することができる。しかも、この映像信号再生装置では、上述のリモコン制御コマンドの受信の有無を認識表示するに際して、回路を追加などを一切必要とせず、ハードウェア構成として既存のものをそのまま利用して、制御部の制御プログラムの一部を変更するだけでの安価な構成で達成することができる。
【００１２】
請求項２の発明では、リモコン装置からリモコン制御コマンドを受信する毎に、テレビジョン受像機などの画面表示部に表示中の映像の輝度レベルを高くしたのちに低く変化させるので、操作者は、画面表示部の映像の明暗変化を明確に視認することにより、リモコン制御コマンドが受信されたことを確実に認識することができる。
【００１３】
請求項３の発明では、テレビジョン受像機などの画面表示部に表示中の映像の輝度レベルを変化させるに際して、制御部が実行する制御プログラムの一部を変更してビデオ信号輝度アップコマンドおよびビデオ信号輝度ダウンコマンドを生成させるだけで達成することができ、回路の追加などが不要であり、コストアップを招くことがない。
【００１４】
請求項４の発明では、リモコン装置からリモコン制御コマンドを受信する毎に、自体に備えた既存の蛍光表示管に表示中の情報表示の輝度レベルを高くしたのちに低く変化させるので、操作者は、蛍光表示管の情報表示の明暗変化を明確に視認することにより、リモコン制御コマンドが受信されたことを確実に認識することができる。
【００１５】
請求項５の発明では、蛍光表示管に表示中の情報表示の輝度レベルを変化させるに際して、制御部が実行する制御プログラムの一部を変更して表示ドライバ輝度アップコマンドおよび表示ドライバ信号輝度ダウンコマンドを生成して表示ドライバ回路に対し出力するだけで達成することができ、回路の追加などが不要であり、コストアップを招くことがない。
【発明を実施するための最良の形態】
【００１６】
以下、本発明の好ましい実施の形態について、図面を参照しながら詳細に説明する。図１は、本発明の一実施の形態に係る映像信号再生装置１を示すブロック構成図であり、この実施の形態では、ＤＶＤプレーヤを例示してある。同図において、ＤＶＤからなる記録媒体２は、スピンドルモータ３により回転されながら、自体に記録されている記録データが光学式ピックアップ４により読み出される。上記ピックアップ４は、トラッキングモータ７により記録媒体２のディスク半径方向に移動される。このトラッキングモータ７と上記スピンドルモータ３とはサーボ制御システム８によって回転制御される。
【００１７】
記録媒体２からの反射光の強さに基づき上記ピックアップ４により読み出された記録データであるＲＦ信号は、図示しないＲＦアンプによりデジタルデータに変換されたのち、デジタル信号処理部９に入力される。デジタル信号処理部９では、入力したデジタルデータに対しエラー訂正などの処理を行ったのちに、ストリーム分離回路１０に対し出力する。
【００１８】
ストリーム分離回路１０では、デジタル信号処理部９から与えられたデジタルデータをビデオおよびオーディオのサブピクチャの各ビットストリームに分離する。分離されたオーディオビットストリームは、ＡＣ−３デコーダ回路１１に入力される。このオーディオビットストリームは、ＡＣ−３方式により圧縮符号化されており、ＡＣ−３デコーダ回路１１では、オーディオビットストリームを伸張して複号化処理を行うことにより、オーディオビットストリームをデジタルオーディオ信号に変換する。
【００１９】
このようにして得られたデジタルオーディオ信号は、ＡＣ−３デコーダ回路１１からＤ／Ａコンバータ１２に入力されてＤ／Ａ変換される。この変換されたアナログオーディオ信号は、オーディオドライバ回路１３を介してテレビジョン受像機１４のスピーカ１７に対し出力されて、スピーカ１７から可聴音として再生出力される。
【００２０】
一方、ストリーム分離回路１０で分離されたビデオビットストリームは、ＭＰＥＧ２デコーダ回路１８に入力される。このビデオビットストリームは、ＭＰＥＧ３方式により圧縮符号化されており、ＭＰＥＧ２デコーダ回路１８では、ビデオビットストリームを伸張して複号化処理を行うことにより、ビデオビットストリームをデジタルビデオ信号に変換する。このデジタルビデオ信号はＮＴＳＣデコーダ回路１９に入力される。ＮＴＳＣデコーダ回路１９は、入力したデジタルビデオ信号を、ＮＴＳＣ方式の映像を示すデジタルビデオ信号に変換し、このデジタルビデオ信号がＤ／Ａコンバータ２０によってＤ／Ａ変換される。この変換されたアロナグビデオ信号は、ビデオドライバ回路２１を介して、テレビジョン受像機１４のブラウン管や液晶表示パネルまたはプラズマディスプレイパネルなどの画面表示部２２に対し出力されて、画面表示部２２に画像表示される。
【００２１】
システムコントローラ２３は、操作者によるリモコン装置３３のキー操作によって入力する各種のリモコン制御コマンドに基づき装置全体を制御する。すなわち、システムコントローラ２３のＣＰＵ２４は、リモコン装置３３から赤外線信号として送信されるリモコン制御コマンドを受光部２９を介し受け取ることにより、ＲＯＭ２７に格納されている各種制御プログラムおよびアプリケーションプログラムなどを読み出し、且つＲＡＭ２８内のプログラム格納領域に一時記憶して、リモコン制御コマンドで指示された各種の制御処理を実行し、この制御処理に際して生じる各種データをＲＡＭ２８に一時記憶する。
【００２２】
例えば、ＣＰＵ２４は、リモコン装置３３から再生指令のリモコン制御コマンドを受信したときに、サーボ制御システム８を介してスピンドルモータ３およびトラッキングモータ７を回転制御する。これにより、ピックアップ４は、記録媒体２のディスク最内周からディスク半径方向外方に向け移動されながら、記録媒体２のデータ領域の先頭から記録データの読み取りを行う。また、上記映像信号再生装置１には、この装置の状態、例えば、通常再生、早送り再生、巻き戻しなどの各種状態を文字、符号およびマークなどで表示するための蛍光表示管３２を備えており、システムコントローラ２３のＣＰＵ２４は、表示ドライバ回路３１に対し指令して、蛍光表示管３２の表示を制御する。
【００２３】
上述の構成は、従来からの映像信号再生装置１が本来備えている既存の構成であり、この実施の形態では、ＲＯＭ２７に格納されている制御プログラムの一部を変更することにより、ＮＴＳＣデコーダ回路１９に対しビデオ信号輝度変更コマンドを出力してデジタルビデオ信号の輝度を変更する輝度変更手段３０を新たに設けたことを特徴としている。したがって、輝度変更手段３０は、ハードウェア構成ではなく、制御プログラムの一部を変更することによってビデオ信号輝度変更コマンドを生成する機能が得られたソフトウェアの機能手段である。すなわち、この映像信号再生装置１は、既存の構成に対し回路などを一切追加しないで、既存のハードウェア構成をそのまま利用したものであり、従来装置に比し殆どコスト高とならない。
【００２４】
つぎに、上記映像信号再生装置におけるリモコン制御コマンドの受信の有無の認識表示の制御処理について、図２のフローチャートを参照しながら説明する。なお、同図において、システムコントローラ２３の外部での制御処理については、その制御フローを２点鎖線で接続した図示になっている。システムコントローラ２３のＣＰＵ２４は、リモコン装置３３から送信されたリモコン制御コマンドを受光部２９が受信したか否かを常時監視し（ステップＳ１）ており、リモコン制御コマンドを受信したと判別したときに、そのリモコン制御コマンドによる指示内容を認識して、指示内容に基づき装置全体を制御する（ステップＳ６）とともに、輝度変更手段３０からＮＴＳＣデコーダ回路１９に対しビデオ信号輝度アップコマンドを出力させる（ステップＳ３）。
【００２５】
このとき、ＮＴＳＣデコーダ回路１９では、上記ビデオ信号輝度アップコマンドが入力する（ステップＳ７）ことにより、デジタルビデオ信号の輝度レベルを増大させる制御処理（ステップＳ８）を行ったのち、ビデオドライバ回路２１を介しアナログ出力端子（図示せず）からテレビジョン受像機１４の画面表示部２２に対し出力する（ステップＳ９）。それにより、テレビジョン受像機１４の画面表示部２２に表示中の映像は、その輝度が通常レベルよりも高くなる（ステップＳ１０）ので、リモコン装置３３の操作者は映像が急に明るくなったことを明確に認識できる。
【００２６】
ＣＰＵ２４は、上述のＮＴＳＣデコーダ回路１９に対しビデオ信号輝度アップコマンドを出力させた時点から、所定時間、例えば１秒経過したか否かを監視し（ステップＳ４）て、１秒経過したと判別したときに、輝度変更手段３０からＮＴＳＣデコーダ回路１９に対しビデオ信号輝度ダウンコマンドを出力させる（ステップＳ５）。
【００２７】
このとき、ＮＴＳＣデコーダ回路１９では、上記ビデオ信号輝度ダウンコマンドが入力する（ステップＳ１１）ことにより、デジタルビデオ信号の輝度レベルを低下させる制御処理（ステップＳ１２）を行ったのち、ビデオドライバ回路２１を介してテレビジョン受像機１４の画面表示部２２に対し出力する（ステップＳ１３）。それにより、テレビジョン受像機１４の画面表示部２２に表示中の映像は、その輝度が上述の高いレベルから通常時よりも低いレベルまで急激に低下する（ステップＳ１４）ので、リモコン装置３３の操作者が映像が急激に暗くなったことを明確に認識できる。
【００２８】
したがって、上記映像信号再生装置１では、システムコントローラ２３の制御プログラムの一部を変更するだけであって、ハードウェア構成として既存のものをそのまま利用する安価な構成としながらも、リモコン装置３３からリモコン制御コマンドを受信する毎に、画面表示部２２に表示中の映像の輝度レベルを通常レベルよりも高くしたのちに通常レベルよりも低く変化させるので、操作者は、画面表示部２２の映像の明暗変化を明確に視認することにより、リモコン制御コマンドが受信されたことを確実に認識することができる。また、この映像信号再生装置１では、テレビジョン受像機１４の画面表示部２２の表示画像の輝度レベルを変化させることによって操作者にリモコン制御コマンドが受信されたことを確実に認識させることができるから、操作者がその後の画面表示部２２の表示画面の映像の変化や音声の変化に注意を払うので、オン・スクリーン・ディスプレイ機能を削減しても支障が生じない。
【００２９】
図３は、本発明の他の実施の実施の形態に係る映像信号再生装置１におけるリモコン制御コマンドの受信の有無の認識表示の制御処理を示したフローチャートである。この実施の形態では、一実施の形態のテレビジョン受像機１４の画面表示部２２の表示画像を明暗変化せるのに代えて、当該再生装置１に既存の蛍光表示管３２の情報表示を明暗変化させるものである。なお、図３において、システムコントローラ２３の外部での制御処理については、その制御フローを２点鎖線で接続した図示になっている。
【００３０】
図３において、システムコントローラ２３のＣＰＵ２４は、リモコン装置３３から送信されたリモコン制御コマンドを受信部１９が受信したか否かを常時監視し（ステップＳ２１）ており、リモコン制御コマンドを受信したと判別したときに、そのリモコン制御コマンドにより指示された内容を認識して、指示内容に基づき装置全体を制御する（ステップＳ２６）とともに、輝度変更手段３０から表示ドライバ回路３１に対し表示ドライバ輝度アップコマンドを生成して出力させる（ステップＳ２３）。
【００３１】
このとき、表示ドライバ回路３１は、上記表示ドライバ輝度アップコマンドが入力する（ステップＳ２７）ことにより、表示信号の輝度レベルを増大させる制御（ステップＳ２８）を行う。これにより、蛍光表示管３２に表示中の画像表示は、その輝度が通常レベルよりも高くなる（ステップＳ２９）ので、リモコン装置３３の操作者が画像が急に明るくなったことを明確に認識できる。
【００３２】
ＣＰＵ２４は、上述の表示ドライバ回路３１に対し表示ドライバ輝度アップコマンドを出力させた時点から、所定時間、例えば１秒経過したか否かを監視し（ステップＳ２４）て、１秒経過したと判別したときに、輝度変更手段３０から表示ドライバ回路３１に対し表示ドライバ輝度ダウンコマンドを出力させる（ステップＳ２５）。
【００３３】
このとき、表示ドライバ回路３１は、上記表示ドライバ輝度ダウンコマンドが入力する（ステップＳ３０）ことにより、表示信号の輝度レベルを低下させる制御（ステップＳ３１）を行う。これにより、蛍光表示管３２では、その輝度が上述の高いレベルから通常時よりも低いレベルまで急激に低下する（ステップＳ３２）ので、リモコン装置３３の操作者が映像が急激に暗くなったことを明確に認識できる。
【００３４】
したがって、上記映像信号再生装置１においても、システムコントローラ２３の制御プログラムの一部を変更するだけであって、当該再生装置１に既存の蛍光表示管３２を利用する安価な構成としながらも、リモコン装置３３からリモコン制御コマンドを受信する毎に、蛍光表示管３２に表示中の画像の輝度レベルを通常レベルよりも高くしたのちに通常レベルよりも低く変化させるので、操作者は蛍光表示管３２の画像の明暗変化を視認することにより、リモコン制御コマンドが受信されたことを確実に認識することができる。
【００３５】
なお、上記両実施の形態の双方の認識表示機能、つまり、テレビジョン受像機１４の画面表示部２２の表示映像および蛍光表示管３２の情報表示の両方の輝度レベルを同時に変化させるようにすれば、リモコン制御コマンドが受信されたことを一層確実に操作者に認識させることができる。その場合においても、システムコントローラ２３の制御プログラムの一部を変更するだけで、ハードウェア構成としての回路などを何ら新たに追加する必要がないので、既存の再生装置に比し殆どコスト高とならない。
【産業上の利用可能性】
【００３６】
この映像信号再生装置は、これが接続されるテレビジョ受像機やモニタ装置の画面表示部に表示中の映像、または自体に備えた蛍光表示管に表示中の情報表示を、リモコン制御コマンドを受信する毎に輝度レベルの制御によって明暗変化させて、リモコン装置の操作者に視覚によってリモコン制御コマンドの受信を確実に認識させることができるので、既存の構成に対し回路などのハードウェエ構成を一切付設する必要のない安価な構成でありながら、リモコン制御コマンドの受信を確実に認識させることができる機能を備えた映像再生装置を得ることができる。
【図面の簡単な説明】
【００３７】
【図１】本発明の一実施の形態に係る映像信号再生装置を示すブロック構成図である。
【図２】同上の映像信号再生装置におけるリモコン制御コマンドの受信の有無の認識表示の制御処理を示したフローチャートである。
【図３】本発明の他の実施の実施の形態に係る映像信号再生装置におけるリモコン制御コマンドの受信の有無の認識表示の制御処理を示したフローチャートである。
【符号の説明】
【００３８】
１  映像信号再生装置
２  記録媒体
１４  テレビジョン受像機
１９  ＮＴＳＣデコーダ回路
２２  画面表示部
２３  システムコントローラ（制御部）
２９  受光部
３０  輝度変更手段
３２  蛍光表示管
３３  リモコン装置
【図１】
2005328173.tif 000003
【図２】
2005328173.tif 000004
【図３】
2005328173.tif 000005